(57)【要約】【課題】表材と板材との間の粘着強度を増加でき、表材が板材から容易に剥離できない防炎板を提供する。【解決手段】本考案の防炎板（完成品）１０は、板材１と、板材１の一面に付着され、一部の水ガラス溶液が板材の隙間に染込む水ガラス溶液層２と、を含み、更に、水ガラス溶液層２に付着される粘着剤層３と、粘着剤層３に付着される表材４と、を含み、表材４は、粘着剤層３の粘着力によって、水ガラス溶液層２に緊密に粘着されることを特徴とする。【選択図】図３
0003177041.tif 000002
【実用新案登録請求の範囲】
【請求項１】
板材と、
前記板材の一面に付着され、一部の水ガラス溶液が前記板材の隙間に染込む水ガラス溶液層と、を含むことを特徴とする防炎板。
【請求項２】
前記防炎板は更に、前記水ガラス溶液層に付着される粘着剤層と、前記粘着剤層に付着される表材と、を含み、前記表材は、前記粘着剤層の粘着力によって、前記水ガラス溶液層及び前記板材に緊密に粘着される、ことを特徴とする請求項１に記載の防炎板。
【請求項３】
前記水ガラス溶液層は、ケイ酸ナトリウム、ケイ酸カリウム、又はそれらの混合物の何れか１つを採用する、ことを特徴とする請求項１又は請求項２に記載の防炎板。
【請求項４】
前記板材は、無機材料で作製された板である、ことを特徴とする請求項１又は請求項２に記載の防炎板。
【請求項５】
前記板材は、ケイ酸カルシウムで作製された板である、ことを特徴とする請求項４に記載の防炎板。
【請求項６】
前記板材は、繊維強化セメント板である、ことを特徴とする請求項１又は請求項２に記載の防炎板。
【請求項７】
前記粘着剤層は、樹脂層である、ことを特徴とする請求項２に記載の防炎板。
【請求項８】
前記表材は、装飾板である、ことを特徴とする請求項２に記載の防炎板。
【考案の詳細な説明】
【技術分野】
【０００１】
本考案は、防炎板に係り、特に表材の貼付け能力が強い防炎板に関するものである。
【背景技術】
【０００２】
従来の防炎板は、例えば特許文献１の台湾特許第Ｉ２３１３３５号が提案された。このような防炎板は、無機材料であるケイ酸カルシウム又は炭酸カルシウムなどの粉末で作製される。具体的には、従来の防炎板は、ケイ酸物質及び石灰物質を主な成分として作製され、高温高圧において反応して結晶して成すものであり、実際には、多くのケイ酸カルシウムの結晶の粉末であり、或いはセメント、石綿やケイ素砂などを添加材に混入して、高圧のプロセスにより圧製して成すものである。
【０００３】
しかし、粉末同士の間の結合力が弱いため、このような防炎板の表面に表材を貼り付ける場合には、表材に近接する粉末が剥離しやすい。すなわち、このような防炎板の表面に表材を強固に貼り付けることができず、表材が防炎板から剥離しやすい。その原因は、このような防炎板の構造が緩んでいるため、粉末同士の間の結合力が粘着剤の粘着力よりも小さく、表材が引かれると、表材に近接する粉末が剥離することにあるからである。
【先行技術文献】
【特許文献】
【０００４】
【特許文献１】台湾特許第Ｉ２３１３３５号公報
【考案の概要】
【考案が解決しようとする課題】
【０００５】
そこで、本考案の主な目的は、表材と板材との間の粘着強度を増加でき、表材が板材から容易に剥離できない防炎板を提供することにある。
【課題を解決するための手段】
【０００６】
本考案の防炎板によると、板材と、板材の一面に付着され、一部の水ガラス溶液が板材の隙間に染込む水ガラス溶液層と、を含むことを特徴とする。
【０００７】
本考案の防炎板によると、更に、水ガラス溶液層に付着される粘着剤層と、粘着剤層に付着される表材と、を含み、表材は、粘着剤層による粘着力により、水ガラス溶液層及び板材に緊密に粘着されることを特徴とする。
【０００８】
本考案の防炎板によると、水ガラス溶液層は、ケイ酸ナトリウム、ケイ酸カリウム、又はそれらの混合物を採用することを特徴とする。
【０００９】
本考案の防炎板によると、板材は無機材料で作製された板であることを特徴とする。
【００１０】
本考案の防炎板によると、板材はケイ酸カルシウムで作製された板であることを特徴とする。
【００１１】
本考案の防炎板によると、板材は繊維強化セメント板であることを特徴とする。
【００１２】
本考案の防炎板によると、粘着剤層は樹脂層であることを特徴とする。
【００１３】
本考案の防炎板によると、表材は装飾板であることを特徴とする。
【考案の効果】
【００１４】
本考案の防炎板によれば、表材と板材との間の粘着強度を増加でき、表材が板材から容易に剥離できないという効果を有する。
【図面の簡単な説明】
【００１５】
【図１】本考案の一実施例の構造を示す斜視図である。
【図２】本考案の一実施例の構造を示す斜視図である。
【図３】本考案の一実施例の構造を示す斜視図である。
【図４Ａ】本考案の一実施例を示す断面図である。
【図４Ｂ】図４Ａの一部を示す拡大図である。
【図４Ｃ】図４Ａの一部を示す拡大図である。
【考案を実施するための形態】
【００１６】
以下、本考案の実施の形態を図面に基づいて説明する。
【００１７】
まず、図１乃至図４Ａを参照する。図１乃至図４Ａには本考案の一実施例の防炎板の作製プロセスを示す。板材１は、図１に示すように、無機材料で作製された板であり、無機粉末で作製された板であることが好ましい。
【００１８】
図２に示すように、板材１の表面に水ガラス溶液層２を塗布して、そのままに置くと、一部の水ガラス溶液層２が板材１の粉末同士の間にある隙間に染込む。次に、それらを乾燥した後、水ガラス溶液により板材１の粉末同士が強固に連結される。
【００１９】
図３、図４Ａ、図４Ｂ及び図４Ｃを参照する。乾燥された水ガラス溶液層２の表面に表層に形成される。前記表層に粘着剤層３を塗布して、粘着剤層３に表材４を貼り付けると、完成品１０が完成する。
【００２０】
もちろん、表材４に粘着剤層３を塗布して、前記表層に表材４を貼り付けてもよい。水ガラス溶液層２により強化された板材１の粉末同士の間の結合力は、粘着剤層３と表材４との結合力よりも大きく、且つ表材４を引く力が水ガラス溶液層２を有しない板材１の下層に有効に伝達できないため、表材４が板材１の上層にある粉末と共に剥離することが容易ではなく、これにより、板材１に表材４を強固に貼り付けることができる。
【００２１】
本考案の一実施例の防炎板によれば、無機粉末で作製された従来の防炎板の粉末同士の結合力が弱いため、板材に直接に貼り付けられる表材が剥離しやすい問題を解決できる。
【００２２】
すなわち、本考案の一実施例の防炎板は、一部の水ガラス溶液層２が板材１の粉末同士の間にある隙間に染込んで、それらを乾燥した後、水ガラス溶液により板材１の粉末同士が強固に連結され、粉末同士の間の結合力を有効に増加でき、板材１の粉末が緩んでいる状態から強固状態に変換する。このように、表材４と板材１との間の粘着強度を増加でき、表材４が板材１から容易に剥離できない。
【００２３】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２４】
本考案は、防炎板に適用することができる。
【符号の説明】
【００２５】
１：板材
２：水ガラス溶液層
３：粘着剤層
４：表材
１０：完成品
【図１】
0003177041.tif 000003
【図２】
0003177041.tif 000004
【図３】
0003177041.tif 000005
【図４Ａ】
0003177041.tif 000006
【図４Ｂ】
0003177041.tif 000007
【図４Ｃ】
0003177041.tif 000008
【手続補正書】
【提出日】平成24年5月16日(2012.5.16)
【手続補正１】
【補正対象書類名】実用新案登録請求の範囲
【補正対象項目名】全文
【補正方法】変更
【補正の内容】
【実用新案登録請求の範囲】
【請求項１】
板材と、  前記板材の一面に付着され、一部の水ガラス溶液が前記板材の隙間に染込む水ガラス溶液層と、を含むことを特徴とする防炎板。
【請求項２】
前記防炎板は更に、前記水ガラス溶液層に付着される粘着剤層と、前記粘着剤層に付着される表材と、を含み、前記表材は、前記粘着剤層の粘着力によって、前記水ガラス溶液層に緊密に粘着される、ことを特徴とする請求項１に記載の防炎板。
【請求項３】
前記水ガラス溶液層は、ケイ酸ナトリウム、ケイ酸カリウム、又はそれらの混合物の何れか１つを採用する、ことを特徴とする請求項１又は請求項２に記載の防炎板。
【請求項４】
前記板材は、無機材料で作製された板である、ことを特徴とする請求項１又は請求項２に記載の防炎板。
【請求項５】
前記板材は、ケイ酸カルシウムで作製された板である、ことを特徴とする請求項４に記載の防炎板。
【請求項６】
前記板材は、繊維強化セメント板である、ことを特徴とする請求項１又は請求項２に記載の防炎板。
【請求項７】
前記粘着剤層は、樹脂層である、ことを特徴とする請求項２に記載の防炎板。
【請求項８】
前記表材は、装飾板である、ことを特徴とする請求項２に記載の防炎板。
【手続補正２】
【補正対象書類名】明細書
【補正対象項目名】０００７
【補正方法】変更
【補正の内容】
【０００７】  本考案の防炎板によると、更に、水ガラス溶液層に付着される粘着剤層と、粘着剤層に付着される表材と、を含み、表材は、粘着剤層による粘着力により、水ガラス溶液層に緊密に粘着されることを特徴とする。